(57)【特許請求の範囲】
【請求項１】
セキュリティ文書の認証のためのコンピュータ実装された方法であって、
それぞれの特徴を提供する複数の独立した製造プロセスにより生じるセキュリティ文書を提供する工程であって、前記セキュリティ文書は、製造プロセスの固有変数によりそれぞれのセキュリティ文書に応じて変化する特徴の相対的位置における変動と、前記セキュリティ文書を製造するための異なる元データの使用による変動と、に関連する固有特徴を有する、工程と；
１つ以上のコンピュータ処理装置を用いて、前記セキュリティ文書のデジタル画像を取得する、工程と；
１つ以上のコンピュータ処理装置を用いて、前記セキュリティ文書の特徴から決定された１組の位置を選択し、かつ前記セキュリティ文書の特徴の相対的位置に関する変動の測定をする、工程と；
１つ以上のコンピュータ処理装置を用いて、決定された１組のセキュリティ文書の位置から取得される相対的位置の測定からメッセージを構築する、工程と；
１つ以上のコンピュータ処理装置を用いて、ハッシュメッセージを構築する工程であって、前記ハッシュメッセージが一方向暗号的ハッシュ関数により符号化される、工程と；
１つ以上のコンピュータ処理装置を用いて、公開鍵暗号化システムを使用して、プライベート鍵によりハッシュメッセージを暗号化しデジタル証明書を取得する、工程と；および
１つ以上のコンピュータ処理装置を用いて、外部データベースに前記デジタル証明書を格納する工程、
を備える方法。
【請求項２】
前記デジタル証明書を前記セキュリティ文書にマーキングまたは印刷する、請求項１に記載の方法。
【請求項３】
前記デジタル証明書に２００ｎｍ〜１５００ｎｍの波長の光を照射する、請求項１に記載の方法。
【請求項４】
前記デジタル証明書に可視光を照射する、請求項１に記載の方法。
【請求項５】
同一文書の大部分が独立して認証される、請求項１に記載の方法。
【請求項６】
前記セキュリティ文書が紙幣、小切手、パスポート、ビザ、ＩＤ書類または出生証明書である、請求項１に記載の方法。
【請求項７】
それぞれのセキュリティ文書に応じて変化する前記特徴の相対的位置の変動に関する前記データの１組の固有特徴が、セキュリティ文書の生産ラインから取得される、請求項１に記載の方法。
【請求項８】
それぞれのセキュリティ文書に応じて変化する前記特徴の相対的位置の変動に関する前記データの１組の固有特徴が、品質検査の間に取得される、請求項１に記載の方法。
【請求項９】
認証されたセキュリティ文書の確認のためのコンピュータ実装された方法であって、
１つ以上のコンピュータ処理装置を用いて、確認されるべきセキュリティ文書を提供する工程と；
１つ以上のコンピュータ処理装置を用いて、本物のセキュリティの元データおよび製造プロセスが、セキュリティ文書の中に存在しているか否か検証する工程と；
１つ以上のコンピュータ処理装置を用いて、前記セキュリティ文書のデジタル画像を取得し、かつ前記デジタル画像の決定された位置から製造プロセスの間に包含される前記特徴の相対的位置を測定する、工程と；
１つ以上のコンピュータ処理装置を用いて、前記セキュリティ文書および書類のＩＤデータから選択される１つ以上の特徴を登録することによりメッセージを構築する、工程と；
１つ以上のコンピュータ処理装置を用いて、ハッシュ関数を前記メッセージに適用して認証用のハッシュメッセージを取得する、工程と；
１つ以上のコンピュータ処理装置を用いて、前記デジタル証明書の検索および解読を行い、前記セキュリティ文書のための認証されたハッシュメッセージを取得する、工程と；
１つ以上のコンピュータ処理装置を用いて、前記認証されたハッシュメッセージと検証のための前記ハッシュメッセージを比較することにより書類の確認を行い、前記認証されたハッシュメッセージと前記検証のための前記ハッシュメッセージが一致した場合には、前記書類が本物であると判定し、かつ前記認証されたハッシュメッセージと前記検証のための前記ハッシュメッセージが一致なかった場合には、前記書類が偽物であると判定する、工程、
を包含する方法。
【請求項１０】
前記認証されたハッシュメッセージが前記セキュリティ文書にマークされまたは印刷されたデジタル証明書から取得され、かつ前記デジタル証明書が公開鍵を使用して解読されて、参照用の認証されたハッシュメッセージを付与する、
請求項９に記載の方法。
【請求項１１】
前記認証されたハッシュメッセージがデータベースへアクセスすることにより取得される、請求項９に記載の方法。
【請求項１２】
前記元データが画像分析およびパターン認識法により検証される、請求項９に記載の方法。
【請求項１３】
前記セキュリティ文書が紙幣である、請求項９に記載の方法。
【請求項１４】
前記セキュリティ文書が紙幣であり、かつ製造プロセスによって組み込まれる前記特徴が、ウォーターマーク、セキュリティスレッド、ホイル、透明窓、蛍光繊維または印刷工程の画像から選択される少なくとも１つを含む、請求項９に記載の方法。
【請求項１５】
前記印刷処理には、少なくとも１つオフセット印刷またはインタリオ印刷が含まれる、請求項９に記載の方法。
【請求項１６】
コンピュータに接続された商業的に利用可能なスキャナまたはデジタルカメラにより確認をする工程が実行される、請求項９に記載の方法。
【請求項１７】
スマートフォンまたはタブレットにより確認をする工程が実行される、請求項９に記載の方法。
【請求項１８】
現金処理装置により確認をする工程が実行される、請求項９に記載の方法。
【発明の詳細な説明】
【技術分野】
【０００１】
本明細書は、概して、セキュリティ文書の認証および確認のためのプロセスに関する。特に本明細書は、セキュリティ文書の認証および確認を行うために、この種の文書にすでに存在するセキュリティ特徴および固有特徴を利用することに関する。さらに詳細には、本明細書は、作成プロセスの間の自然な変動を利用することによる、紙幣、小切手、または任意の他のセキュリティ文書の認証および確認に関する。なお、この自然な変動とは、印刷プロセスの間に、セキュリティ特性および他の特徴が文書に組み込まれることである。
【背景技術】
【０００２】
既存の技術における市場で利用可能なグラフィカルな再現の著しい進歩により、小切手、紙幣、その他などの高品質セキュリティ文書の偽造品の発生が広がりつつある。したがって、グラフィック設備の技術的発達に対抗することが可能であり、且つスキャナまたはデジタルカメラなどの一般に利用可能な装置を使用する方法を使用して、セキュリティ文書を認証および確認する方法は究極的な有用性を有する。
【０００３】
さらに組織犯罪の世界では、これらの専門的な技術を使用して、大量の高品質偽造品を製造するための方法が見出されている。この事実は、社会が発行機関に対して有する信頼およびこれらの偽造品を検出するための信頼性の高い機器を発行機関が提供する能力を、危険にさらすものである。
【０００４】
装置または自動設備に基づく検証に注目する既知の認証方法は、文書のセキュリティ特性の信憑性を検証するための特定的な特性を有する設備を要求するプロセスおよびシステムに依存する。この場合、設備が高額となることにより、または特殊な素材が必要とされることにより、困難な局面が生じることとなる。例として、磁性体、ＵＶ蛍光インク、赤外線吸収色素、動的光応答（例えばセキュリティ文書に含まれる燐光崩壊、磁気バンド、およびホログラムなど）のシステムが挙げられる。残念なことに、犯罪者が使用する方法もますます精緻となり、現代では、情報および再生媒体に対するアクセスが容易となったため、作成者が文書に組み込んだほぼすべてのセキュリティ特性を、市販の素材および設備により模倣することが可能である。文書の偽造品は、レーザプリンタまたはインクジェットプリンタを使用するシステムに基づく偽造品（写真複写型偽造品）を、および真正と同様のプロセスおよび素材を使用する偽造品（プロセスによる偽造品）を含み得る。写真複写型偽造品の場合、中央銀行は、プリンタによる模倣が不可能な特殊な特徴（例えば、ウォーターマーク、磁気スレッド、透明窓、触知特性を有する刻印されたレリーフ、ホログラム、および閲覧角度に応じて光学的に変化する特徴ならびにインクなど）を含む。プロセスによる偽造品の場合、訓練を受けていないユーザによる簡単な検査では信憑性を判定することは困難である。加えて、特に貨幣偽造の場合、これは国家の財政に大きな影響が及んでしまう。実際に、係る偽造に対抗するための努力は、係る偽造を避けるために、係る素材およびインクのうちのいずれが、セキュリティ文書の意図される寿命の間に市販されるようになる高いリスクを有するであろうかを予測しようとして、新しいセキュリティ文書の作成において使用される素材およびインクに集中する。一般に、技術的進歩が不可避であるため、標準的な手法では、市販の技術とセキュリティ文書に対して意図される技術との間の差異がいつなくなるかを予測することが要求される。
【０００５】
多数の国で使用されている米ドルおよびユーロなどの貨幣の場合には偽造のリスクが大きくなる。なぜなら、これらの諸国の犯罪者（国家の支援を受ける犯罪組織を含む）に対して機会が開かれるためである。
【発明の概要】
【発明が解決しようとする課題】
【０００６】
したがってセキュリティ文書の信憑性は、真正な素材およびプロセスの偽造が不可能ではないにせよ困難であるという事実のみに依存するのではなく、デジタル証明書などの数学的に証明済みのセキュリティに基づくことが望ましい。
【０００７】
一方、日常的な取引に広範に使用される紙幣の場合、紙幣の信憑性が即時判定可能であることが必要である。例えば、ある人が取引の間に偽造品を検出することができない場合、損失がもたらされるであろう。なぜなら、無価値の文書を受け取って貴重な商品を供給し、場合によっては、商品の価値が偽造品の価値よりも低い場合には、その差額を現金で支払うこととなるためである。このように、係る偽造文書が国家の経済に侵入して一般大衆に影響を及ぼすことを防止し、且つ発行機関の信頼を維持するために、小切手および紙幣などのセキュリティ文書の確認を迅速に実行可能であることが要求される。
【０００８】
法廷での検査は、文書が真正であるかどうかを判断することにおいては非常に正確ではあるが、１つの文書に対する処理時間が膨大であり、通常、高額で且つ専門的な設備が要求される。一方、画像収集品質および計算能力が常に向上し続けるコンピュータおよびガジェットは、ますます一般的となり、個人および企業にとって、経済的にアクセスすることがますます可能になりつつある。このように、特に紙幣の場合に、データを分析してセキュリティ文書の信憑性を小切手することが可能なスマートフォンまたはコンピュータに接続されたスキャナなどの装置におけるデジタル画像収集に対して現在利用可能な技術の使用により、セキュリティ文書を確認することが望ましいであろう。
【０００９】
セキュリティ文書のテストの分野では、バランスが「受容」および「拒否」の相矛盾する目的間で成り立たなければならないことも認識されてきた。肯定的受容とは、すべての真正セキュリティ文書を、その状態のいかんにかかわらず、正しく確認および識別ならびに受容する能力であり、肯定的拒否とは、すべての真正でないセキュリティ文書を正しく区別および拒否する能力である。一方、真正でない文書が真正であるものとして受容される否定的受容、および真正な文書が偽造品であるとみなされて拒否される否定的拒否が生じる可能性もある。確認プロセスがこれらの定義について高レベルの精度を有し、それにより否定的受容および否定的拒否が回避されることが必要である。
【００１０】
米国特許出願第２００４／０２６８１３０号では、記事の固有的特徴を選択するステップと、その特徴をデジタルデータに変換して記事に対する識別コードを形成するステップと、を含む、記事を確認するシステムおよび方法が開示されている。非対称的暗号鍵ペアの秘密のプライベート鍵（発行当事者に関連付けられている）を利用する暗号化システムが、識別コードを暗号化するために使用される。暗号化されたコードは、記事に付随するラベル上で入手可能となっている。後の段階の間、確認局では、特徴に関連するデジタルデータが記事から直接的に判定され、コードは、公開鍵インフラストラクチャのルールにしたがって第三者から得られた鍵ペアの公開鍵を利用して復号される。米国特許出願第２００４／０２６８１３０号のシステムおよび方法によれば、固有的特徴は、記事の化学的操作の結果、または一意の特徴を記事内に、または記事上に含めることの結果である。暗号化されたコードが記事に付随するラベル上で入手可能であることも要求されるが、その一方で、コードはハッシュ関数を適用することなく暗号化されている。この欠点のために、偽造者が、記事の一意性を定義する元のデータを取得し、元のデータに近づくために変更を作り始めることが可能となる。ハッシュ関数を使用することにより、偽造者は、確認を通過させることが可能となるように記事を改編するための方法に関する情報を有することがなくなるであろう。さらに、選択された特徴が、記事の使用に起因する自然な劣化に耐えることが可能であるかどうかについては、明らかではない。
【００１１】
アドバンストトラックアンドトレース（ＡＴＴ）は、印刷プレートを、および印刷プレートを用いて印刷された対応する紙幣を、認証するための方法を開発した。その方法では堅牢な暗号方法が使用される。一方、その方法は主要な欠点を有する。すなわちその欠点とは、コードの個数が、ＡＴＴプロセスを使用する紙幣の製造のために設計されたプレートに制限され、暗号保護のために、同一のプレートを用いて印刷されたシリアルを再現することのみが可能であるという事実である。加えて、印刷されるべきパターンの複雑度のために、セキュリティ紙幣のバッチの変動を最小化するためには、顕微鏡または他の拡張装置の他にも、改善された品質管理が必要とされる。
【００１２】
注目され得るように、セキュリティ文書を認証するための方法が必要とされる他にも、文書を確認するための信頼性が高く且つ迅速なプロセスも必要とされる。加えて、情報技術の絶え間ない発達とともに、この方法は、この両方が、文書の正当性を評価するためには必要であるという理解のもとで、物理的セキュリティ文書におけるセキュリティおよび信頼性に対して、デジタル証明書の対応物を加える。特に、このシナリオでは、物理的文書およびデジタル証明書が一意的に一緒にリンクされていることを考慮すると、正当なデジタル証明書を有さない紙幣は、たとえ文書が真正であったとしても、まったく価値がない。
【課題を解決するための手段】
【００１３】
本開示の態様では、紙幣、小切手、または任意の他のセキュリティ文書の認証のシステムが提供される。この態様は、これらの変動を含む文書のデジタル証明書を含み、これらの変動は各文書の一意性を意味する。これは、産業上の作成プロセスの自然な変動ばかりではなく、予測可能且つ制御された様式で変化する情報（例えば、シリアル番号、シリアル文字、その他）によっても、可能である。
【００１４】
様々な態様では、たとえ復号されたとしても文書の信憑性の小切手に対してのみ有用なハッシュメッセージからなる文書の認証プロセスは、偽造のプロセスにおいて有用となり得る元の文書の特性についての情報はまったく開示しないであろう。
【００１５】
他の態様では、紙幣、小切手、または任意の他のセキュリティ文書に対する確認プロセスが提供される。
【００１６】
他の態様では、自動的に実行される確認方法が提供される。
【００１７】
他の態様では、偽陰性および偽陽性の確認の発生が低い状態の、偽造されたセキュリティ文書の肯定的識別のための方法が提供される。
【００１８】
さらに他の態様は、品質および精緻度により偽造品を分類することである。
【００１９】
いくつかの態様では、各セキュリティ文書を個別化するためのデータは、異なる作成プロセスにおいて加えられた特徴間の見当合わせの変動からの１組の特徴から得られる。これらの特徴は、それぞれのセキュリティ文書の特殊性に、およびさらには一意性に関する。
【００２０】
各セキュリティ文書に対する異なるメッセージは、前述の１組の特徴を、および文書ＩＤデータに関連するデータを使用して、作られる。
【００２１】
さらに、いくつかの態様では、任意のセキュリティ文書を認証および確認する方法は、上記のメッセージに基づくものであり、少なくとも２つの作成プロセスの結果である見当合わせの変動を要求する。この認証の方法は、以下のステップを含む。
【００２２】
作成プロセスおよび供給品における変動の結果として得られる、１組の固有特徴を選択するステップ、
【００２３】
セキュリティ文書のデジタル画像を取得し、データを得るステップ、
【００２４】
文書からの特徴間の見当合わせの変動を測定することにより、および文書ＩＤデータに関するデータにより、メッセージを構築するステップ、
【００２５】
ハッシュメッセージを構築するステップであって、このハッシュメッセージは、元のメッセージが一方向暗号学的ハッシュ関数により符号化された後に得られるメッセージである、ステップ、
【００２６】
公開鍵暗号化システムを使用して、プライベート鍵によりハッシュメッセージを暗号化しデジタル証明書を得るステップ、および
【００２７】
デジタル証明書を外部データベースに格納し、および／またはデジタル証明書をセキュリティ文書にマーキングもしくは印刷するステップ。
【００２８】
他の態様によれば、確認の方法が提供され、この方法は、以下のステップを含む。
【００２９】
確認されるべきセキュリティ文書を提供するステップ、
【００３０】
周知の画像分析技術により、または他種類の従来の検証により、セキュリティ未加工素材および作成プロセスがセキュリティ文書に存在することを検証するステップ、
【００３１】
文書からの特徴間の見当合わせの変動を測定することにより、および、文書ＩＤデータに関するデータにより、対応するメッセージを構築するステップ、
【００３２】
ハッシュ関数を適用して検証用ハッシュメッセージを取得するステップ、
【００３３】
認証されたハッシュメッセージを取得するステップ（なおいくつかの態様では、認証されたハッシュメッセージは、セキュリティ文書上にマーキングまたは印刷されたデジタル証明書から得られ、デジタル証明書は公開鍵の使用を通して復号され、参照用ハッシュメッセージが提供され、いくつかの態様では、認証されたハッシュメッセージはデータベースにアクセスすることによりデータベースから得られる）、および、
【００３４】
認証されたハッシュメッセージと検証用ハッシュメッセージとを比較して、認証されたハッシュメッセージと検証用ハッシュメッセージとが一致する場合には文書が真正とみなされ、認証されたハッシュメッセージと検証用ハッシュメッセージとが一致しない場合には文書が偽造品とみなされることにより、文書を確認するステップ。
【図面の簡単な説明】
【００３５】
【図１】一般的な認証プロセスを示す図である。
【図２】異なるプロセスからの画像および文字を含むセキュリティ文書を示す図である。
【図３】異なるプロセスからの異なる画像を有し、且つ基準点および相対的地点を示す、セキュリティ文書の一例を示す図である。
【図４】メッセージを取得するためのデータの数学的処理のための関数ＭＤの一例を示す図である。
【図５】セキュリティ文書の確認プロセスの一例を示す図である。
【図６】セキュリティ文書の確認のためのアルゴリズムを示す図である。
【発明を実施するための形態】
【００３６】
認証および確認のプロセスは、セキュリティ文書の作成プロセスのステップの間に、特にこれらのステップの相互作用において、生じる変動に基づくものである。
【００３７】
いくつかの態様は、セキュリティ文書の認証および確認を行うためのプロセスに関する。
【００３８】
いくつかの態様は、元の文書を認証および確認するための方法にも関する。この方法では、各文書の固有特徴が特定され、符号化され、所望によりセキュリティ文書自体に挿入され、または外部データベースに格納される。この方法および提案されるシステムは、セキュリティ文書の偽造を防止する。
【００３９】
本開示の態様は、以下で提示される詳細な説明から、および以下の添付の図面から、より完全に理解されるであろう。なお、これらの説明および図面は単に例示として提示されたものであり、したがって本発明を限定するものではない。
【００４０】
本開示では、以下の用語は、示された意味を有する。
【００４１】
認証−認可または認定された個人または機関が、確立された要件または規格にしたがって、個人もしくは組織、製品もしくはサービス、手続きもしくは処理、または事象もしくは状況の、属性、特性、品質、資格、または状態を評価（および証明書を発行することにより文書で証明）する公式な手続き。
【００４２】
確認−１つのデータまたはエンティティの属性の真実性を確定する行為。確認とは、人または物が、実際に、当該の人または物が主張するところの人または物であるかどうかを判定する処理である。
【００４３】
セキュリティ印刷処理−市販の処理では模倣が容易ではない特殊印刷処理。例えば、紙幣の印刷に使用される処理。
【００４４】
セキュリティ特性−セキュリティ文書に存在するセキュリティ特徴を指す。係る特徴は、セキュリティ用紙、セキュリティインク、ウォーターマーク、磁気スレッド、透明窓、触覚機能、ホイル、パッチ、ホログラム、その他におけるように、市販製品を使用して模倣することが困難となるように意図したものである。
【００４５】
セキュリティ文書−（各保証人の）何らかの保証を書面で記述する文書であり、セキュリティ印刷処理を使用して作成され、またセキュリティ特性も含み得る。
【００４６】
固有特徴−異なる製造プロセスにおいて加えられた特徴間の自然な見当合わせの変動からの特徴。これらの特徴は、それぞれの作成されたセキュリティ文書の特殊性に、およびさらには一意性に関するものである。これらの特徴は、音響的信号、電子的信号、または磁気的信号であり得、電磁スペクトルの一部の上で測定可能である。これには、印刷エラーまたは印刷の変動、ランダムなインクの染み、かすれた線、色、その他が含まれる。
【００４７】
見当合わせ−見当合わせとは、セキュリティ文書の特徴間の相対的な位置、位置合わせ、または位置ずれを指し、異なる製造プロセスにより含まれるものである。セキュリティ文書の作成中、様々な画像もしくは特徴間の、または異なる処理からのセキュリティ特徴間の相対的位置は文書ごとに異なり、そのため、係る変動により、これらの文書は固有的となり、その再現が不可能となる。
【００４８】
メトリック関数−集合Ｘに関するメトリックは関数である（距離関数または単に距離）。
ｄ：Ｘ×Ｘ→Ｒ。式中、Ｒは実数の集合である。Ｘにおけるすべてのｘ、ｙ、ｚに対して、この関数は、以下の条件を満たすことが要求される。
１．ｄ（ｘ，ｙ）≧０
２．ｘ＝ｙが成り立つ場合に限り、ｄ（ｘ，ｙ）＝０
３．ｄ（ｘ，ｙ）＝ｄ（ｙ，ｘ）
４．ｄ（ｘ，ｚ）≦ｄ（ｘ，ｙ）＋ｄ（ｙ，ｚ）
【００４９】
一般メトリック関数−集合Ｘに対する一般化されたメトリックは、メトリック関数に似ているが、いくつかの点で、その公理が緩和されている（例えば、公理１または３のみを満たす）。
【００５０】
文書ＩＤデータ−特定の文書に対する識別子のような作用を有するデータ。文書ＩＤデータは、単語、数字、文字、シンボル、またはこれらの任意の組み合わせであり得る。識別子は、固有の文書または１組の文書を識別する（すなわち、これらの同一性を名称付ける）名称である。省略ＩＤは、識別子（すなわち、同一性の具体例）を指す。紙幣の場合、識別子はシリアル番号を含む。
【００５１】
メッセージ−いくつかのメトリック、一般メトリックまたは、他の関数を、以前に選択された（セキュリティ文書の見当合わせの）固有特徴の選択された部分集合における地点に、およびその文書ＩＤデータに適用する結果の連結。
【００５２】
ハッシュメッセージ−一方向暗号学的ハッシュ関数による符号化されたメッセージ。
【００５３】
デジタル証明書−認証プロセスにおいて格納された暗号化ハッシュメッセージ（プライベート鍵を使用して暗号化されている）。
【００５４】
「固有特徴」という用語は、文書のこれらの自然な変化物の全てに対して使用される。これらの自然な変化物は、製造プロセスにおいて生じ、測定可能であり、特に、セキュリティ文書の作成のためにセキュリティ印刷処理により提供される。固有特徴の一例としては、見当合わせが挙げられる。
【００５５】
本開示の態様によれば、セキュリティ特性は、セキュリティ文書に存在する、これらの部分または構成要素であって、作成プロセス、配布、および市販化を制御することにより、文書の異なるユーザに対して、文書の確認を支援する目的を有するものである。またセキュリティ特性により、不正な個人またはエンティティによるセキュリティ特性の取得または偽造を防止することが可能となる。
【００５６】
本開示の態様によれば、固有特徴は、作成プロセスに沿って測定可能である、これらの自然な変化物である。
【００５７】
固有特徴から、特に見当合わせから取得されたデータを通して、セキュリティ文書をデジタル認証するための方法も開示される。
【００５８】
１つの態様では、上述の文書にすでに存在するセキュリティ特性および固有特徴を使用して、セキュリティ文書をデジタル認証するための方法が提供される。
【００５９】
特に、文書は、異なる光源および多種な照明を使用するスキャナまたはデジタル写真を通して、また他にも、文書の物理的特性、化学的特性、または物理化学的特性の、他の任意の測定（係る測定から固有特徴を取得することが可能である）を通して、デジタル化されるであろう。特に、可視光線を、および、文書の画像をデジタル化するための装置を使用して、見当合わせを測定することが可能である。
【００６０】
本開示の態様によれば、「画像取得」により、スキャニング・デジタル化設備が、以下の特徴を測定することを理解すべきである。
【００６１】
定常的な照明またはパルス状の照明のいずれかを用いて、電磁スペクトルの任意の波長における反射特性、透過特性、吸収特性、放出特性、またはこれらの組み合わせ。
・磁気特性および／または電気特性。セキュリティ文書を構成する素材の電磁的デジタル指紋。
・音響特性：書類は、特定強度の応力サイクルにさらされると、特定の測定可能レベルのノイズを発する。
【００６２】
書類またはセキュリティ特性の、機械的刺激、および／または化学的刺激、および／または電気的刺激に応答する特性。
【００６３】
測定されるべき特徴は、セキュリティ文書の作成の間に用いられた作成プロセスの性質に、ならびに、文書に与えられる用途に、強く依存する。
【００６４】
メッセージは、いくつかの特徴を、その他にも、これらの特徴間の数学的相関関係を、使用して構築される。本開示の態様によれば、２つの地点間の距離の関数であるメトリック関数が使用される。
【００６５】
メッセージは、劣化し得ないか、または、その劣化が既知および／または予測可能である、これらの特徴を使用して構築される。
・異なるサイズの複数のゾーンおよび／または文書全体、
・測定されるべき特徴は、文書に、および、文書を取得するための作成プロセスに、依存する。
・少なくとも２つの異なる処理間の相互作用に依存する特徴。
【００６６】
任意の照明下でデジタル画像から特徴を取得する特定の場合、認証されるよう意図されるこれらの部分を強調する画像が取得される。例えば、セキュリティ文書の半分のサイズまたは１／４のサイズのみを認証することは、または、単一の文書に対して異なるメッセージを使用して複数の認証を作ることは、有利となるであろう。
【００６７】
認証および確認のシステムが、図面を参照して開示される。
【００６８】
本開示の態様に係るセキュリティ文書の作成プロセスは、以下を含む。
【００６９】
ａ）好適な供給品を提供すること（ステップ１１ａ）。供給品は、基板、インク、セキュリティ特性（例えば、ウォーターマーク、スレッド、透明窓、色つき繊維、ホイル、またはパッチ）、その他を含む。
【００７０】
ｂ）すべての供給品を統合化することを含む、セキュリティ文書の作成プロセスを実行すること（ステップ１３ａ）。このプロセスは、少なくとも２つの異なる作成プロセスを使用して様々な特徴、文字、または画像を基板上に配置することを、および、文書のシリアル番号または任意の他の文書ＩＤデータをマーキングまたは配置することを、含む。
【００７１】
ｃ）以下を行うことにより、セキュリティ文書を認証すること。
【００７２】
ｉ．文書のデジタル画像を取得し（ステップ１０）、各文書に対する選択された群の固有特徴に対応するデータを、ならびに、文書ＩＤデータを取得すること（２０）。これらの固有特徴は、作成プロセス変化物および使用された供給品の結果である。
【００７３】
ｉｉ．固有特徴の群として以前に選択された地点の相対的位置を、その他にも文書ＩＤデータを判定するためにメトリック関数を使用してメッセージを構築すること（３０）。
【００７４】
ｉｉｉ．ハッシュ関数を適用してハッシュメッセージを構築すること（４０）（ハッシュメッセージ（５０）は、一方向暗号学的ハッシュ関数を適用することにより取得されたメッセージである）。
【００７５】
ｉｖ．デジタル証明書（８０）を取得するために、プライベート鍵（７０）を使用して公開鍵暗号化システムによりハッシュメッセージを暗号化（６０）すること。
【００７６】
ｖ．データベース（９０）にデジタル証明書を格納すること、および／または、
【００７７】
ｖｉ．セキュリティ文書（１０）上にデジタル証明書をマーキングまたは印刷すること（９７）。
【００７８】
図２では、本開示の態様に係るセキュリティ文書が示される。セキュリティ文書の作成のために、いくつかのプロセスが用いられる。例えば、４つのプロセス（Ａ、Ｂ、Ｃ、Ｅ）が示されている。セキュリティ文書は、異なる作成プロセスに属する様々な画像および文字を含む。図２の場合、プロセスＡは、セキュリティ文書のための初期基板を提供する。この基板は、スレッドまたはホイル（ａｉ）およびウォーターマークまたは電気版画像（ａｉｉ）などの、いくつかのセキュリティ特性を含む。プロセスＢは、例えばオフセット印刷の形態における１組の画像（ｂｉ）を提供する。プロセスＣはセキュリティ文書を提供し、このセキュリティ文書は、画像（ｃｉ）を有し、且つ、文字（ｃｉｉｉ）も有する。この事例では、この文字（ｃｉｉｉ）は額面金額を指し、文字（ｃｉｉ）は、発行機関の名称を指す。例えば、プロセスＣは刻印プロセスであり得る。同様にプロセスＥは、紙幣として例示された、セキュリティ文書（ｅ１）のシリアル番号を提供する。いくつかの態様では、セキュリティ文書は図１で示したプロセスにしたがって認証され、結果として、認証プロセスにより取得されたデジタル証明書は所望により特徴（ｆｉ）としてセキュリティ文書上に印刷され得る。
【００７９】
本開示の態様によれば、以下の文書の固有特徴のうちの少なくとも１つが、文書を認証するものと考えられる。係る固有特徴は、以下から取得される。
【００８０】
電磁応答（ＩＲ、可視、ＵＶ）、
【００８１】
見当合わせ、
【００８２】
蛍光繊維の数量および位置、
【００８３】
印刷エラーまたは印刷の変動：ランダムなインクの染み、かすれた線、色、その他、
【００８４】
以下の物理的特性、
・音響特性、
・電気特性、
・磁気特性、
・その他、および、
【００８５】
以下の少なくとも１つの文書ＩＤデータを含む。
・シリアル番号、
・文書額面金額、
・名称、
・日付、その他
【００８６】
図１では、本開示の態様に係る認証プロセスが開示されている。すなわち、セキュリティ文書が、先行技術に係る既知のプロセスにしたがって作成される（ステップ１０）。なお、プロセス１０は、特殊供給品を提供するステップ（１１ａ）と、基板を作成するステップ（１３ａ）と、様々なステップを含む作成プロセスを実行するステップ（１３ａ）と、を含む。
【００８７】
かくして文書が作成され、次に、各作成された項目の特定のデータを、および特に、セキュリティ文書に存在する様々な文字または画像間の相対的位置に関する情報を、取得するために、データを取得するプロセス（図１におけるステップ２０）が、文書に対して適用される。
【００８８】
セキュリティ文書に存在する画像および文字の相対的位置から得られたデータは、数値メッセージを構築するために使用される。図３では、セキュリティ文書からデータを取得するための方法が示されている。ステップ（２０）で取得されたメッセージ（３０）は、画像および文字間の相対的位置に関するデータからなる。なお、これらの位置は、係る画像および文字がセキュリティ文書上に配置されるプロセスに依存する。例えば図３では、一連のプロセスＡ、Ｂ、Ｃ、およびＥにより作成された画像を含むセキュリティ文書が表されている。図示のように、各画像または各プロセスに対して１組の基準点（Ａ１，Ａ２，……，ＡＮ）、（Ｂ１，Ｂ２，……，ＢＮ）、（Ｃ１，Ｃ２，……，ＣＮ）、（Ｅ１，Ｅ２，……，ＥＮ）、その他が、容易なアクセスまたは識別を提供する定められたランダムな位置（例えば画像の特定のコーナー、いくつかのマーキングされたドット、その他）に、定められる。次に、第１相対的地点（Ａ２）の第１相対的位置［Ｄ１（Ａ１，Ａ２）］が画像Ａにおいて基準点Ａ１に対して計算され、相対的地点Ｂ１の第２相対的位置［Ｄ２（Ａ１，Ｂ１）］が画像Ｂにおいて基準点Ａ１に対して計算される。同様に、画像Ｃにおける相対的地点Ｃ１の第３相対的位置［Ｄ３（Ａ１，Ｃ１）］が計算され、所望により、画像Ｄにおける相対的地点（Ｅ１）の第４相対的位置［Ｄ４（Ａ１，Ｅ１）］も計算される。いくつかの態様では、画像Ｂにおける第２基準点（Ｂ２）、文字Ｃにおける第３基準点（Ｃ２）、または文字Ｅにおける第４基準点（Ｅ２）を基準にして、他の相対的位置も計算される。メトリックは、各基準点からの各相対的位置に対しても計算され、その他にも、他の三角関数値に対して、および、これらの地点間の距離に関連付けられた他の数学的量に対しても、計算される。このようにして、様々な基準点が、および様々な測定値が定められる。
【００８９】
次にセキュリティ文書データは、セキュリティ文書の「メッセージ」と一致する、図４で示される数学的行列などの数学的関数と関連付けられる。図示のように、測定されたすべての特徴に対する１つの一般的なセキュリティメッセージＭＤを構築することが可能であり、または、セキュリティ文書の複数の特定部分から得られた様々なメッセージを構築することも可能である。例えば、残りのドットＡ、Ｂ、Ｃ、およびＥに対するドットＡの相対的位置を指すメッセージＭＤＡ、または、ドットＣおよびＢ間の相対的位置を指すメッセージＭＤＣＢ、または図ＣおよびＥからのドットの相対的位置に関するメッセージＭＤＥＣ、が構築され得る。これは、文書の一部のみが利用可能である文書を確認する場合（例えば、文書の一部分が利用可能である場合、またはセキュリティ文書が破損している場合）に、特に有用である。
【００９０】
先行技術では、収集された情報からメッセージを取得するためのいくつかの数学的方法が存在する。例えば、相対的位置の値に従う手続き、または、例えば、線形回帰、対数回帰、もしくは他の種類の数学的回帰などの数学的回帰。いくつかの態様では、メトリック関数を使用することが好適である。
【００９１】
様々な基準点および相対的位置を取得するために、例えばデジタル写真またはスキャナを用いて、その他にも、各文書に対する固有特徴の他の任意の物理的および／または化学的測定（例えば、書類の種類、書類重量、書類テクスチャ、書類の色、インクの種類、インクの色、その他）を用いて、画像のデジタル化またはキャプチャのプロセスが実施される。デジタル化ステップは、作成（１３ａ）の後、デジタル化モジュールにおいて実施され得る。
【００９２】
例えば、固有特徴の一部分が、セキュリティ文書の作成に関与する異なるプロセス間の見当合わせから生じたものである場合、プロセスＡ、Ｂ、Ｃ、およびＥを考慮すると、画像および文字間の変動は、文書のデジタル画像の解像度に応じてほぼ数百京程度となるであろう。
【表１】
0006532534.tif 000002
【００９３】
図示のように、変動のレベルは、文書を特定するための固有で且つ再現不可能な方法を提供し、正確な再現は、本来の作成者にとってさえ極めて困難となる。
【００９４】
さらに、見当合わせばかりではなく、他の固有特徴（例えば、染色された繊維もしくは蛍光繊維の個数または位置など）も使用される場合、変動の個数はほぼ数百の規模で増加することとなるであろう。
【００９５】
本開示の態様にしたがって地点を選択することにより、数百京の可能な組み合わせを獲得することが可能となり、したがって、本開示の態様にしたがって作成されたデジタル証明書に含まれるのと同一の固有特徴を有する文書を偽造者が取得する可能性は非常に低くなる。
【００９６】
特に紙幣の場合、たとえ元の作成者が正確な複製品を偽造しようとしても、多数（ほぼ数百京程度）の文書を作成した後、同一の変動を有する１つの文書を選び出し、次に文書ＩＤデータを元本と同一の証明書に貼り付けることを余儀なくされるであろう。したがって、特に紙幣に関しては、見当合わせを使用するこの方法は偽造を不可能なものとするのみならず、偽造を非常に複雑且つ非効率的なプロセスとすることにより、偽造がむしろ経済的に不可能となる。
【００９７】
一方、攻撃者が公式の作成者の変動を統計的に研究することを防ぐために、ステップ（３０）で取得されたメッセージは、次に、数学的ハッシュ関数の使用を通してステップ（４０）で変換された後、ステップ６０で暗号化が施されて固有のデジタル証明書が生成される。
【００９８】
図１のステップ４０で、ステップ（３０）で取得されたメッセージは、次に、少なくとも１つの連鎖の文字を含むハッシュメッセージを取得するために、図１のステップ５０でハッシュ関数などの数学的関数を使用して変換される。例えば、１つの連鎖の文字を供給する数学的一方向プロセスまたはモデル（アルゴリズム）によりハッシュ関数を実行するためのいくつかの数学的方法が存在する。
【００９９】
次にハッシュ関数はステップ（６０）で暗号化されて、暗号化されたハッシュメッセージまたはデジタル証明書が生成される。ハッシュメッセージを暗号化するために、暗号化された英数字連鎖の形のデジタル証明書（８０）を生成するためにプライベート鍵（７０）を要求する非対称的暗号化アルゴリズムが使用される。
【０１００】
図１で示されるように、次に、デジタル証明書は、セキュアな実装に配置されたサーバ内で維持され得るデータベース（９０）に格納され得、および／または、デジタル証明書は、データを取得する（２０）ために同一の機構により読み取りが可能な様式で（例えばバーコード、コード、または平文（ｆｉ）など）文書（１０）にマーキング／印刷（９７）され得る。デジタル証明書（８０）を格納することに加えてデータベース（９０）が使用される場合、データベース内のデジタル証明書と他のＩＤデータ情報（例えばセキュリティ文書のシリアル番号、セキュリティ文書のスキャン済みコピー、セキュリティ文書作成時の場所および日時、その他など）とを関連付けることも有用となり得る。
【０１０１】
次に、デジタル証明書は、セキュリティ文書の文書ＩＤデータに関連付けられた検証要素であり、各セキュリティ文書に対して固有の方法で存在する画像および文字間の特定の関係について記載する。
【０１０２】
デジタル証明書８０は、偽造された文書または紙幣を読み取り、それらの上に、暗号化方式にしたがって読み取り器のスキャンを表すラベルを印刷しようとする、読み取り器を有する不正な第三者に対して、障壁として作用する。通常、デジタル証明書（例えばバーコードラベルまたは他のマーク）は、公開鍵により解読可能な暗号文を表すであろう。プライベート鍵は、認定された認証当事者または当局に対して留保されるであろう。一方、上述のように、デジタル証明書がセキュリティ文書に含まれない場合もある。前述のように、デジタル証明書は、セキュリティ文書に存在する画像および文字に関する固有で且つ再現不可能な物理的特性を表すものであり、複製を偽造する方法に関するさらなる情報は開示しないであろう。
【０１０３】
次に暗号化された情報は、図１のステップ９７でマークとして配置されるか、または印刷される。セキュリティ文書のデジタル証明書８０およびハッシュメッセージ５０の他にも、部分的ハッシュメッセージおよび文書ＩＤデータは、パブリックなアクセスのために利用可能なサーバに配置されたデータベース９０に格納される。要素（ｆｉ）の形態のデジタル証明書は、所望により、セキュリティ文書１０上に挿入され得る。
【０１０４】
本開示のいくつかの態様では、デジタル証明書は、バーコード、２次元バーコード要素、または文字列（ｆｉ）から選択され得る。
【０１０５】
したがってデジタル証明書８０は、セキュリティ文書に存在する、その作成プロセスに起因する見当合わせによる様々な画像および文字間の固有で且つ再現不可能な関係の結果である。
【０１０６】
確認プロセス
【０１０７】
認証されたセキュリティ文書は、さらなる確認が行われる。流通されるセキュリティ文書の確認のプロセスが、図５および図６に示されている。セキュリティ文書の確認は、確認当局（例えば発行機関の確認当局）により実施されるタスクであるが、ユーザが文書の確認を望む場合には、文書のユーザおよび確認当局の両方により実施されてもよい。図５によれば、発行された文書（１１０）が正当であるかどうかを知ろうとするユーザまたは確認当局は、最初に（ステップ１２０）、正当な文書に存在するよう意図された供給品およびセキュリティ特性（ウォーターマーク、セキュリティスレッド、セキュリティインク、セキュリティプロセス、その他）の存在を検証する。簡単な写真複写および粗いコピーは、図５のステップ１２０および図６のステップ１２１で区別され、低品質偽造品（１２２、図６）であるとみなされる。
【０１０８】
次に、確認が行われた文書に存在する素材および印刷プロセスが正当であるとみなされた場合（図６のステップ１２３）、ハッシュメッセージがユーザの文書の特徴にしたがって生成されなければならない。係る目的のために、ユーザ／確認当局は、要求されるデジタル画像を取得する能力を有する任意の装置により、セキュリティ文書のデータを取得しなければならない（ステップ１３０）。次に、メトリック関数および文書ＩＤデータの使用を通してメッセージを構築し（ステップ１４０）、ハッシュ関数（１５０）を適用して、検証用ハッシュメッセージ（１６０）が取得される。
【０１０９】
次のステップとして、ユーザには、アプリケーションを有するスマートフォン、タブレット、または異なる処理装置が提供される。なお、このアプリケーションは、データを取得し（１３０）、メトリック関数を通してメッセージを自動的に構築し（１４０）、その他にも、検証用ハッシュメッセージ（１６０）を取得するために、メッセージにハッシュ関数を適用する（１５０）。
【０１１０】
セキュリティ文書を確認するために、検証用ハッシュメッセージ（１６０）は、復号されたハッシュメッセージ（２６０）と比較される。復号されたハッシュメッセージ（２６０）を取得するためのデジタル証明書（８０、図１）が、何らかの方法で取得される必要がある。検証用デジタル証明書（８０、図１）の１つの供給源は、認証の間に作られたデータベース（２８０）である。データ取得・処理モジュールが確認当局により管理されるデータベースにアクセスするよう動作することを考慮すると、デジタル証明書は、復号されたハッシュメッセージ（２６０）を取得するために公開鍵（２３０）により復号され得る（２５０）。データベースは、読み取り装置の一部を形成する大容量ストレージ装置の一部であってもよく、または遠隔位置にあって、遠距離通信リンクを通して読み取り器によりアクセスされてもよい。遠隔通信リンクは、ワイヤレスリンクおよび固定リンクを含む任意の従来形態を取り得、インターネット上で利用可能であってもよい。データ取得・処理モジュールは、少なくともいくつの動作モードにおいて、一致が見出されない場合、シグネチャがデータベースに追加されることを可能にするよう動作可能であり得る。これは、通常、明白な理由のために、認定された人にのみ許可される。公開鍵の誤用は文書の偽造を支援するものではないことに注目すべきである。なぜなら公開鍵は、デジタル証明書を復号するためには有用であるが、ハッシュメッセージを暗号化するためには無能であるためである。
【０１１１】
本開示のいくつかの態様では、セキュリティ文書の検証用ハッシュメッセージ（１６０）は、確認当局に提供され、確認当局は、上述のように、対応する復号されたハッシュメッセージ（２６０）をデータベース（２８０）から取得し、確認用ハッシュメッセージ（１６０）が復号されたハッシュメッセージ（２６０）と一致するかどうかを確立するために、比較を実行することができる。
【０１１２】
デジタル証明書（８０、図１）を取得するための他の供給源は、セキュリティ文書上にマーキング／印刷された、バーコードもしくは２次元バーコード要素、または文字列（図２におけるｆ１）である。
【０１１３】
本開示のいくつかの態様では、デジタル証明書は、復号されたハッシュメッセージ（２６０）を取得するために、公開鍵（２３０）により復号（２５０）され得、検証用ハッシュメッセージ（１６０）が復号されたハッシュメッセージ（２６０）と一致するかどうかを確立するために比較を実行するために使用され得る。なおこの比較はユーザによりローカルで実行され得る。
【０１１４】
最終的に、検証用ハッシュメッセージ（１６０）および復号されたハッシュメッセージ（２６０）が一致する場合、文書は信頼性のある文書（図６における４００）として承認される。一方、検証用ハッシュメッセージ（１６０）が対応する復号されたハッシュメッセージ（２６０）と一致しない場合、文書は高品質偽造品（３０５）とみなされる。係る偽造品の発生は、犯罪パターンを取り調べるための要素／証拠を提供し得る。
【０１１５】
図６で示されているように、ユーザは最初に、紙幣などのセキュリティ文書に存在する真正な未加工素材および元のセキュリティ作成プロセスの存在に対する検証ステップ１２１を実行すべきである。係る素材およびプロセスが存在しない場合、文書は低品質偽造品（１２２）とみなされる。期待される素材およびプロセスが文書中になく、真正であるとみなされる場合、ユーザはデータを取得するステップ（１３０）を実行すべきである。
【０１１６】
本開示のいくつかの態様では、確認プロセスは、スマートフォンまたはタブレットなどのスマートデバイス用のアプリケーションの使用を通して実行される。アプリケーションは、正確な画像を取得するようユーザを案内し、確認当局に接続するための手段を提供する。確認当局による確認の後、比較プロセスの結果が供給される。
【０１１７】
この方法は、作成特性により偽造品を分類する可能性を提供する。係る目的のために、偽造品を自動的に分類および登録（ＩＤ）するための設備が必要である。係る設備は、偽造品を「偽造者」（必ずしも人であるとは限らない）に統計的にリンクし、わずかな改善ですらも検出するために、偽造品から抽出されたすべての情報を有するデータベースを作るために、発行機関に到達するすべての偽造品の特徴の登録を行う。係る情報は、偽造犯罪の取り調べおよび追跡を行う上で有用である。
【０１１８】
認証のために、画像収集システム（デジタルカメラ、スキャナ）、画像処理設備（例えばＣＰＵ、ＧＰＵ、ＦＰＧＡ）、ストレージシステム（データサーバ）が必要である。９７の場合、マーキング／印刷装置は、インクジェットプリンタ、番号印字機、レーザマーキング装置、ラベル貼付装置、その他であり得る。
【０１１９】
確認のために、画像収集システム（デジタルカメラ、セルフォンカメラ、スキャナ、その他）、画像処理システム（例えばＣＰＵ［ＰＣ、サーバ、タブレット、スマートフォン、その他］、ＧＰＵ、ＦＰＧＡ）が必要である。２８０の場合、データベースに対するアクセス（インターネット、ＳＭＳ、ＬＡＮ、ＷＡＮ、ＶＰＮ、その他）が必要である。
【０１２０】
本開示の態様についてこれまで説明してきた。同一のこれらの態様が、多数の方法で変化され得ることは明らかであろう。係る変化は、本開示の趣旨および範囲からの逸脱であるとみなされてはならず、当業者に明らかとなるであろうように、係る変更は以下の請求項の範囲に含まれるべきである。
【０１２１】
謝辞
【０１２２】
著者は、Ｍａｒｉｏ  Ｈｅｒｎａｎｄｅｚ  ＴｅｌｌｅｚおよびＵｒｉｅｌ  Ｍａｎｃｅｂｏ  ｄｅｌ  Ｃａｓｔｉｌｌｏの両氏から数々の有用な議論を賜ったことにつき、両氏に感謝する。
【図１】
0006532534.tif 000003
【図２】
0006532534.tif 000004
【図３】
0006532534.tif 000005
【図４】
0006532534.tif 000006
【図５】
0006532534.tif 000007
【図６】
0006532534.tif 000008